【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
第１の画像に対する画像処理を実行可能な第１の装置と、前記第１の画像に対応し、且つ、前記第１の画像よりもデータサイズが大きい第２の画像に対する画像処理を実行可能な第２の装置とを備える画像処理システムであって、
前記第１の装置は、
第１の画像処理において使用される第１のパラメータと第２の画像処理において使用される第２のパラメータをそれぞれ、ユーザの操作にしたがって設定可能な設定手段と、
前記第１のパラメータおよび前記第２のパラメータが設定された場合に、当該第２のパラメータを用いた前記第２の画像処理を前記第１の画像に対して実行せずに、当該第１のパラメータを用いた前記第１の画像処理を前記第１の画像に対して実行する第１の処理手段と、
前記設定された第２のパラメータが確定されていないことを示す所定の情報を第１の表示部に表示する表示制御手段と、
前記設定された第１のパラメータおよび第２のパラメータを前記第２の装置へ送信する第１の送信手段と、
を備え、
前記第２の装置は、
前記設定された第１のパラメータおよび第２のパラメータを前記第１の装置から受信する受信手段と、
前記設定された第１のパラメータを用いた前記第１の画像処理および前記設定された第２のパラメータを用いた前記第２の画像処理を前記第２の画像に対して実行する第２の処理手段と、
前記第２のパラメータを用いた前記第２の画像処理が前記第２の画像に対して実行された後、前記第２のパラメータが確定されていることを示す確定情報を前記第１の装置へ送信する第２の送信手段と、
を備え、
前記第１の装置は、前記確定情報を受信すると、前記表示制御手段により前記所定の情報を非表示にするよう制御する
ことを特徴とする画像処理システム。
【請求項２】
前記第２の送信手段は、前記設定されたパラメータが前記第２の装置において確定され
た場合に、前記確定情報および確定されたパラメータに関する確定パラメータ情報を前記第１の装置へ送信する
ことを特徴とする請求項１に記載の画像処理システム。
【請求項３】
前記第２の処理手段は、前記確定されたパラメータを用いた画像処理を前記第２の画像に対して実行することにより、第３の画像を生成し、
前記第２の装置は、前記第３の画像のデータサイズを低減することにより、第４の画像を生成する第３の処理手段、をさらに備え、
前記確定パラメータ情報は、前記第４の画像を含む
ことを特徴とする請求項２に記載の画像処理システム。
【請求項４】
前記第２の装置は、前記第２のパラメータが設定され、且つ、当該第２のパラメータが確定されていない場合に、当該第２のパラメータを調整可能な調整手段、をさらに備えることを特徴とする請求項１〜３のいずれか１項に記載の画像処理システム。
【請求項５】
前記調整手段は、前記第１のパラメータが設定され、且つ、当該第１のパラメータが確定されていない場合に、当該第１のパラメータを調整できる
ことを特徴とする請求項４に記載の画像処理システム。
【請求項６】
前記第２の装置は、前記第１のパラメータが設定され、且つ、当該第１のパラメータが確定されていない場合に、当該第１のパラメータを用いた前記第１の画像処理を前記第２の画像に対して実行した結果を示すグラフィック画像が表示されるように、第２の表示部の表示を制御する
ことを特徴とする請求項１〜５のいずれか１項に記載の画像処理システム。
【請求項７】
第１の画像処理において使用される第１のパラメータと第２の画像処理において使用される第２のパラメータをそれぞれ、ユーザの操作にしたがって設定可能な設定手段と、
前記第１のパラメータおよび前記第２のパラメータが設定された場合に、当該第２のパラメータを用いた前記第２の画像処理を第１の画像に対して実行せずに、当該第１のパラメータを用いた前記第１の画像処理を前記第１の画像に対して実行する第１の処理手段と、
前記設定された第２のパラメータが確定されていないことを示す所定の情報を第１の表示部に表示する表示制御手段と、
前記設定された第１のパラメータおよび第２のパラメータを前記第２の装置へ送信する第１の送信手段と、
を備える第１の装置に接続可能な第２の装置である画像処理装置であって、
前記設定された第１のパラメータおよび第２のパラメータを前記第１の装置から受信する受信手段と、
前記第１の画像に対応し、且つ、前記第１の画像よりもデータサイズが大きい第２の画像に対して、前記設定された第１のパラメータを用いた前記第１の画像処理および前記設定された第２のパラメータを用いた前記第２の画像処理を実行する第２の処理手段と、
前記第２のパラメータを用いた前記第２の画像処理が前記第２の画像に対して実行された後、前記第２のパラメータが確定されていることを示す確定情報を前記第１の装置へ送信する第２の送信手段と、
を備え、
前記第１の装置は、前記確定情報を受信すると、前記所定の情報を非表示にするよう制御する
ことを特徴とする画像処理装置。
【請求項８】
設定された第１のパラメータおよび第２のパラメータを第１の装置から受信する受信手
段と、
第１の画像に対応し、且つ、前記第１の画像よりもデータサイズが大きい第２の画像に対して、前記設定された第１のパラメータを用いた第１の画像処理および前記設定された第２のパラメータを用いた第２の画像処理を実行する第２の処理手段と、
前記第２のパラメータを用いた前記第２の画像処理が前記第２の画像に対して実行された後、前記第２のパラメータが確定されていることを示す確定情報を前記第１の装置へ送信する第２の送信手段と、
を備える第２の装置と接続可能な前記第１の装置である画像処理装置であって、
前記第１の画像処理において使用される前記第１のパラメータおよび前記第２の画像処理において使用される前記第２のパラメータをそれぞれ、ユーザの操作に従って設定可能な設定手段と、
前記第１のパラメータおよび前記第２のパラメータが設定された場合に、当該第２のパラメータを用いた前記第２の画像処理を前記第１の画像に対して実行せずに、当該第１のパラメータを用いた前記第１の画像処理を前記第１の画像に対して実行する第１の処理手段と、
前記設定された第２のパラメータが確定されていないことを示す所定の情報を第１の表示部に表示する表示制御手段と、
前記設定された第１のパラメータおよび第２のパラメータを前記第２の装置へ送信する第１の送信手段と、
を備え、
前記表示制御手段は、前記第２のパラメータを用いた前記第２の画像処理が前記第２の画像に対して実行された後、前記第２のパラメータが確定されていることを示す確定情報を前記第２の装置から受信すると、前記所定の情報を非表示にするよう制御する
ことを特徴とする画像処理装置。
【請求項９】
第１の画像に対する画像処理を実行可能な第１の装置と、前記第１の画像に対応し、且つ、前記第１の画像よりもデータサイズが大きい第２の画像に対する画像処理を実行可能な第２の装置とを備える画像処理システムにおける画像処理方法であって、
前記第１の装置が、第１の画像処理において使用される第１のパラメータと第２の画像処理において使用される第２のパラメータをそれぞれ、ユーザの操作にしたがって設定するステップと、
前記第１の装置が、前記第１のパラメータおよび前記第２のパラメータが設定された場合に、当該第２のパラメータを用いた前記第２の画像処理を前記第１の画像に対して実行せずに、当該第１のパラメータを用いた前記第１の画像処理を前記第１の画像に対して実行するステップと、
前記第１の装置が、前記設定された第２のパラメータが確定されていないことを示す所定の情報を第１の表示部に表示するステップと、
前記第１の装置が、前記設定された第１のパラメータおよび第２のパラメータを前記第２の装置へ送信するステップと、
前記第２の装置が、前記設定された第１のパラメータおよび第２のパラメータを前記第１の装置から受信するステップと、
前記第２の装置が、前記設定された第１のパラメータを用いた前記第１の画像処理および前記設定された第２のパラメータを用いた画像処理を前記第２の画像に対して実行するステップと、
前記第２の装置が、前記第２のパラメータを用いた前記第２の画像処理が前記第２の画像に対して実行された後、前記第２のパラメータが確定されていることを示す確定情報を前記第１の装置へ送信するステップと、
前記第１の装置が、前記確定情報を受信すると、前記所定の情報を非表示にするよう制御するステップと、
を有することを特徴とする画像処理方法。
【請求項１０】
第１の画像処理において使用される第１のパラメータと第２の画像処理において使用される第２のパラメータをそれぞれ、ユーザの操作にしたがって設定可能な設定手段と、
前記第１のパラメータおよび前記第２のパラメータが設定された場合に、当該第２のパラメータを用いた前記第２の画像処理を第１の画像に対して実行せずに、当該第１のパラメータを用いた前記第１の画像処理を前記第１の画像に対して実行する第１の処理手段と、
前記設定された第２のパラメータが確定されていないことを示す所定の情報を第１の表示部に表示する表示制御手段と、
設定された前記第１のパラメータおよび前記第２のパラメータを前記第２の装置へ送信する送信手段と、
を備える第１の装置に接続可能な第２の装置における画像処理方法であって、
前記設定された第１のパラメータおよび第２のパラメータを前記第１の装置から受信するステップと、
前記第１の画像に対応し、且つ、前記第１の画像よりもデータサイズが大きい第２の画像に対して、前記設定された第１のパラメータを用いた前記第１の画像処理および前記設定された第２のパラメータを用いた前記第２の画像処理を実行するステップと、
前記第２のパラメータを用いた前記第２の画像処理が前記第２の画像に対して実行された後、前記第２のパラメータが確定されていることを示す確定情報を前記第１の装置へ送信するステップと、
を有し、
前記第１の装置は、前記確定情報を受信すると、前記所定の情報を非表示にするよう制御する
ことを特徴とする画像処理方法。
【請求項１１】
設定された第１のパラメータおよび第２のパラメータを第１の装置から受信する受信手段と、
第１の画像に対応し、且つ、前記第１の画像よりもデータサイズが大きい第２の画像に対して、前記設定された第１のパラメータを用いた第１の画像処理および前記設定された第２のパラメータを用いた第２の画像処理を実行する第２の処理手段と、
前記第２のパラメータを用いた前記第２の画像処理が前記第２の画像に対して実行された後、前記第２のパラメータが確定されていることを示す確定情報を前記第１の装置へ送信する第２の送信手段と、
を備える第２の装置と接続可能な前記第１の装置における画像処理方法であって、
前記第１の画像処理において使用される前記第１のパラメータおよび前記第２の画像処理において使用される前記第２のパラメータをそれぞれ、ユーザの操作に従って設定するステップと、
前記第１のパラメータおよび前記第２のパラメータが設定された場合に、当該第２のパラメータを用いた前記第２の画像処理を前記第１の画像に対して実行せずに、当該第１のパラメータを用いた前記第１の画像処理を、前記第１の画像に対して実行するステップと、
前記設定された第２のパラメータが確定されていないことを示す所定の情報を第１の表示部に表示するステップと、
前記設定された第１のパラメータおよび前記第２のパラメータを前記第２の装置へ送信するステップと、
前記第２のパラメータを用いた前記第２の画像処理が前記第２の画像に対して実行された後、前記第２のパラメータが確定されていることを示す確定情報を前記第２の装置から受信するステップと、
前記確定情報を受信すると、前記所定の情報を非表示にするよう制御するステップと、を有することを特徴とする画像処理方法。
【請求項１２】
請求項９〜１１のいずれか１項に記載の画像処理方法の各ステップをコンピュータに実行させるためのプログラム。
【手続補正２】
【補正対象書類名】明細書
【補正対象項目名】発明の名称
【補正方法】変更
【補正の内容】
【発明の名称】画像処理システム、画像処理装置、画像処理方法、及び、プログラム
【手続補正３】
【補正対象書類名】明細書
【補正対象項目名】０００１
【補正方法】変更
【補正の内容】
【０００１】
本発明は、画像処理システム、画像処理装置、画像処理方法、及び、プログラムに関する。
【手続補正４】
【補正対象書類名】明細書
【補正対象項目名】００１２
【補正方法】変更
【補正の内容】
【００１２】
本発明の第１の態様は、
第１の画像に対する画像処理を実行可能な第１の装置と、前記第１の画像に対応し、且つ、前記第１の画像よりもデータサイズが大きい第２の画像に対する画像処理を実行可能な第２の装置とを備える画像処理システムであって、
前記第１の装置は、
第１の画像処理において使用される第１のパラメータと第２の画像処理において使用される第２のパラメータをそれぞれ、ユーザの操作にしたがって設定可能な設定手段と、
前記第１のパラメータおよび前記第２のパラメータが設定された場合に、当該第２のパラメータを用いた前記第２の画像処理を前記第１の画像に対して実行せずに、当該第１のパラメータを用いた前記第１の画像処理を前記第１の画像に対して実行する第１の処理手段と、
前記設定された第２のパラメータが確定されていないことを示す所定の情報を第１の表示部に表示する表示制御手段と、
前記設定された第１のパラメータおよび第２のパラメータを前記第２の装置へ送信する第１の送信手段と、
を備え、
前記第２の装置は、
前記設定された第１のパラメータおよび第２のパラメータを前記第１の装置から受信する受信手段と、
前記設定された第１のパラメータを用いた前記第１の画像処理および前記設定された第２のパラメータを用いた前記第２の画像処理を前記第２の画像に対して実行する第２の処理手段と、
前記第２のパラメータを用いた前記第２の画像処理が前記第２の画像に対して実行された後、前記第２のパラメータが確定されていることを示す確定情報を前記第１の装置へ
送信する第２の送信手段と、
を備え、
前記第１の装置は、前記確定情報を受信すると、前記表示制御手段により前記所定の情報を非表示にするよう制御する
ことを特徴とする画像処理システムである。
【手続補正５】
【補正対象書類名】明細書
【補正対象項目名】００１３
【補正方法】変更
【補正の内容】
【００１３】
本発明の第２の態様は、
第１の画像処理において使用される第１のパラメータと第２の画像処理において使用される第２のパラメータをそれぞれ、ユーザの操作にしたがって設定可能な設定手段と、
前記第１のパラメータおよび前記第２のパラメータが設定された場合に、当該第２のパラメータを用いた前記第２の画像処理を第１の画像に対して実行せずに、当該第１のパラメータを用いた前記第１の画像処理を前記第１の画像に対して実行する第１の処理手段と、
前記設定された第２のパラメータが確定されていないことを示す所定の情報を第１の表示部に表示する表示制御手段と、
前記設定された第１のパラメータおよび第２のパラメータを前記第２の装置へ送信する第１の送信手段と、
を備える第１の装置に接続可能な第２の装置である画像処理装置であって、
前記設定された第１のパラメータおよび第２のパラメータを前記第１の装置から受信する受信手段と、
前記第１の画像に対応し、且つ、前記第１の画像よりもデータサイズが大きい第２の画像に対して、前記設定された第１のパラメータを用いた前記第１の画像処理および前記設定された第２のパラメータを用いた前記第２の画像処理を実行する第２の処理手段と、
前記第２のパラメータを用いた前記第２の画像処理が前記第２の画像に対して実行された後、前記第２のパラメータが確定されていることを示す確定情報を前記第１の装置へ送信する第２の送信手段と、
を備え、
前記第１の装置は、前記確定情報を受信すると、前記所定の情報を非表示にするよう制御する
ことを特徴とする画像処理装置である。
【手続補正６】
【補正対象書類名】明細書
【補正対象項目名】００１４
【補正方法】変更
【補正の内容】
【００１４】
本発明の第３の態様は、
設定された第１のパラメータおよび第２のパラメータを第１の装置から受信する受信手段と、
第１の画像に対応し、且つ、前記第１の画像よりもデータサイズが大きい第２の画像に対して、前記設定された第１のパラメータを用いた第１の画像処理および前記設定された第２のパラメータを用いた第２の画像処理を実行する第２の処理手段と、
前記第２のパラメータを用いた前記第２の画像処理が前記第２の画像に対して実行され
た後、前記第２のパラメータが確定されていることを示す確定情報を前記第１の装置へ送信する第２の送信手段と、
を備える第２の装置と接続可能な前記第１の装置である画像処理装置であって、
前記第１の画像処理において使用される前記第１のパラメータおよび前記第２の画像処理において使用される前記第２のパラメータをそれぞれ、ユーザの操作に従って設定可能な設定手段と、
前記第１のパラメータおよび前記第２のパラメータが設定された場合に、当該第２のパラメータを用いた前記第２の画像処理を前記第１の画像に対して実行せずに、当該第１のパラメータを用いた前記第１の画像処理を前記第１の画像に対して実行する第１の処理手段と、
前記設定された第２のパラメータが確定されていないことを示す所定の情報を第１の表示部に表示する表示制御手段と、
前記設定された第１のパラメータおよび第２のパラメータを前記第２の装置へ送信する第１の送信手段と、
を備え、
前記表示制御手段は、前記第２のパラメータを用いた前記第２の画像処理が前記第２の画像に対して実行された後、前記第２のパラメータが確定されていることを示す確定情報を前記第２の装置から受信すると、前記所定の情報を非表示にするよう制御する
ことを特徴とする画像処理装置である。
【手続補正７】
【補正対象書類名】明細書
【補正対象項目名】００１５
【補正方法】変更
【補正の内容】
【００１５】
本発明の第４の態様は、
第１の画像に対する画像処理を実行可能な第１の装置と、前記第１の画像に対応し、且つ、前記第１の画像よりもデータサイズが大きい第２の画像に対する画像処理を実行可能な第２の装置とを備える画像処理システムにおける画像処理方法であって、
前記第１の装置が、第１の画像処理において使用される第１のパラメータと第２の画像処理において使用される第２のパラメータをそれぞれ、ユーザの操作にしたがって設定するステップと、
前記第１の装置が、前記第１のパラメータおよび前記第２のパラメータが設定された場合に、当該第２のパラメータを用いた前記第２の画像処理を前記第１の画像に対して実行せずに、当該第１のパラメータを用いた前記第１の画像処理を前記第１の画像に対して実行するステップと、
前記第１の装置が、前記設定された第２のパラメータが確定されていないことを示す所定の情報を第１の表示部に表示するステップと、
前記第１の装置が、前記設定された第１のパラメータおよび第２のパラメータを前記第２の装置へ送信するステップと、
前記第２の装置が、前記設定された第１のパラメータおよび第２のパラメータを前記第１の装置から受信するステップと、
前記第２の装置が、前記設定された第１のパラメータを用いた前記第１の画像処理および前記設定された第２のパラメータを用いた画像処理を前記第２の画像に対して実行するステップと、
前記第２の装置が、前記第２のパラメータを用いた前記第２の画像処理が前記第２の画像に対して実行された後、前記第２のパラメータが確定されていることを示す確定情報を前記第１の装置へ送信するステップと、
前記第１の装置が、前記確定情報を受信すると、前記所定の情報を非表示にするよう制
御するステップと、
を有することを特徴とする画像処理方法。
【手続補正８】
【補正対象書類名】明細書
【補正対象項目名】００１６
【補正方法】変更
【補正の内容】
【００１６】
本発明の第５の態様は、
第１の画像処理において使用される第１のパラメータと第２の画像処理において使用される第２のパラメータをそれぞれ、ユーザの操作にしたがって設定可能な設定手段と、
前記第１のパラメータおよび前記第２のパラメータが設定された場合に、当該第２のパラメータを用いた前記第２の画像処理を第１の画像に対して実行せずに、当該第１のパラメータを用いた前記第１の画像処理を前記第１の画像に対して実行する第１の処理手段と、
前記設定された第２のパラメータが確定されていないことを示す所定の情報を第１の表示部に表示する表示制御手段と、
設定された前記第１のパラメータおよび前記第２のパラメータを前記第２の装置へ送信する送信手段と、
を備える第１の装置に接続可能な第２の装置における画像処理方法であって、
前記設定された第１のパラメータおよび第２のパラメータを前記第１の装置から受信するステップと、
前記第１の画像に対応し、且つ、前記第１の画像よりもデータサイズが大きい第２の画像に対して、前記設定された第１のパラメータを用いた前記第１の画像処理および前記設定された第２のパラメータを用いた前記第２の画像処理を実行するステップと、
前記第２のパラメータを用いた前記第２の画像処理が前記第２の画像に対して実行された後、前記第２のパラメータが確定されていることを示す確定情報を前記第１の装置へ送信するステップと、
を有し、
前記第１の装置は、前記確定情報を受信すると、前記所定の情報を非表示にするよう制御する
ことを特徴とする画像処理方法である。
【手続補正９】
【補正対象書類名】明細書
【補正対象項目名】００１７
【補正方法】変更
【補正の内容】
【００１７】
本発明の第６の態様は、
設定された第１のパラメータおよび第２のパラメータを第１の装置から受信する受信手段と、
第１の画像に対応し、且つ、前記第１の画像よりもデータサイズが大きい第２の画像に対して、前記設定された第１のパラメータを用いた第１の画像処理および前記設定された第２のパラメータを用いた第２の画像処理を実行する第２の処理手段と、
前記第２のパラメータを用いた前記第２の画像処理が前記第２の画像に対して実行された後、前記第２のパラメータが確定されていることを示す確定情報を前記第１の装置へ送信する第２の送信手段と、
を備える第２の装置と接続可能な前記第１の装置における画像処理方法であって、
前記第１の画像処理において使用される前記第１のパラメータおよび前記第２の画像処理において使用される前記第２のパラメータをそれぞれ、ユーザの操作に従って設定するステップと、
前記第１のパラメータおよび前記第２のパラメータが設定された場合に、当該第２のパラメータを用いた前記第２の画像処理を前記第１の画像に対して実行せずに、当該第１のパラメータを用いた前記第１の画像処理を、前記第１の画像に対して実行するステップと、
前記設定された第２のパラメータが確定されていないことを示す所定の情報を第１の表示部に表示するステップと、
前記設定された第１のパラメータおよび前記第２のパラメータを前記第２の装置へ送信するステップと、
前記第２のパラメータを用いた前記第２の画像処理が前記第２の画像に対して実行された後、前記第２のパラメータが確定されていることを示す確定情報を前記第２の装置から受信するステップと、
前記確定情報を受信すると、前記所定の情報を非表示にするよう制御するステップと、を有することを特徴とする画像処理方法である。
【手続補正１０】
【補正対象書類名】明細書
【補正対象項目名】００１８
【補正方法】変更
【補正の内容】
【００１８】
本発明の第７の態様は、上述した画像処理方法の各ステップをコンピュータに実行させるためのプログラムである。